(57)【要約】【課題】明るく高画質な画像表示装置を安価に提供する。【解決手段】１水平走査期間に２ライン以上の走査配線Ｄｘｍを同時にアクティブにする重複走査モードと１水平走査期間に１ラインの走査配線をアクティブにする通常走査モードとを切り替える画像表示装置において、モードに応じて解像度を変換する解像度変換部１２に対して、解像度変換制御部１２が変換パラメータＳ６を出力する。重複操作モードへの切り替え時には、ジャギーの除去効果を薄くしておくように変換パラメータを設定し、垂直空間周波数応答特性の変化を抑制する。【選択図】  図１
2004279730.tif 000002
【特許請求の範囲】
【請求項１】
走査線と、変調線と、前記走査線及び変調線を介して駆動される表示素子とを有する画像表示手段と、
前記走査線に走査信号を供給する走査回路と、
前記変調線に変調信号を供給する変調回路と、
入力画像信号の走査線数を変換する変換回路と、
１つの選択期間において同時に隣接する複数の走査線を選択し、同時に選択される走査線の組を異ならしめて、１フレーム内において同じ走査線を２回以上選択する第１の走査方式と、
１つの選択期間において１つの走査線を選択し、１フレーム内において同じ走査線を１回だけ選択する第２の走査方式と、
の何れかの走査方式を選択する選択手段と、
前記変換回路の垂直スケーリングフィルタ特性を、選択された走査方式に応じて、変更する変更手段と、
を備え、
前記第１の走査方式の場合における前記垂直スケーリングフィルタ特性は、前記第２の走査方式の場合における前記垂直スケーリングフィルタ特性に比べて高周波成分の除去作用が弱くなるような特性である画像表示装置。
【請求項２】
前記第２の走査方式の場合における前記垂直スケーリングフィルタ特性をＨ（）、
前記第１の走査方式の場合における前記垂直スケーリングフィルタ特性をＨ’（）、
前記第１の走査方式の場合に低下する垂直空間周波数特性をＪ（）、
としたときに、
前記変更手段は、
Ｈ（）  ＝  Ｈ’（）・Ｊ（）、又はＨ（）  ≒  Ｈ’（）・Ｊ（）
となるようにＨ’（）を定める請求項１に記載の画像表示装置。
【請求項３】
走査線と、変調線と、前記走査線及び変調線を介して駆動される表示素子とを有する画像表示手段と、
前記走査線に走査信号を供給する走査回路と、
前記変調線に変調信号を供給する変調回路と、
１つの選択期間において同時に隣接する複数の走査線を選択し、同時に選択される走査線の組を異ならしめて、１フレーム内において同じ走査線を２回以上選択する第１の走査方式と、
１つの選択期間において１つの走査線を選択し、１フレーム内において同じ走査線を１回だけ選択する第２の走査方式と、
の何れかの走査方式を選択する選択手段と、
前記画像表示手段に表示する画像データに、高周波成分を除去するフィルタ処理を施して、前記変調回路に供給するフィルタ回路と、
前記フィルタ回路の高周波成分の除去作用を、選択された走査方式に応じて、変更する変更手段を備え、
前記第１の走査方式の場合における前記フィルタ回路の特性は、前記第２の走査方式における前記フィルタ回路の特性に比べて高周波成分の除去作用が弱くなるような特性である画像表示装置。
【請求項４】
前記第２の走査方式の場合における前記画像表示装置の垂直空間周波数特性をＤ（）、
前記第１の走査方式の場合における前記画像表示装置の垂直空間周波数特性をＤ’（）、
としたときに
前記変更手段は、
Ｄ（）  ＝  Ｄ’（）、又はＤ（）  ≒  Ｄ’（）
となるように前記フィルタ回路の特性を定める請求項３に記載の画像表示装置
【請求項５】
走査線と、変調線と、前記走査線及び変調線を介して駆動される表示素子とを有する画像表示手段と、
前記走査線に走査信号を供給する走査回路と、
前記変調線に変調信号を供給する変調回路と、
入力画像信号の走査線数を変換する変換回路と、
を備えた画像表示装置において、
１つの選択期間において１つの走査線を選択し、１フレーム内において同じ走査線を１回だけ選択する第２の走査方式にて得られる前記画像表示装置の垂直空間周波数特性をＤ（）、
１つの選択期間において同時に隣接する複数の走査線を選択し、同時に選択される走査線の組を異ならしめて、１フレーム内において同じ走査線を２回以上選択する第１の走査方式にて得られる前記画像表示装置の垂直空間周波数特性をＤ’（）、その場合における前記変換回路の特性をＨ’（）、
としたときに、前記特性Ｄ（）と前記特性Ｄ’（）がほぼ同一となるようにＨ’（）を定める画像表示装置。
【請求項６】
走査線と、変調線と、前記走査線及び変調線を介して駆動される表示素子とを有する画像表示手段と、
前記走査線に走査信号を供給する走査回路と、
前記変調線に変調信号を供給する変調回路と、
入力画像信号の走査線数を変換する変換回路と、
を有する画像表示装置であって、
１つの選択期間において１つの走査線を選択し、１フレーム内において同じ走査線を１回だけ選択する第２の走査方式に用いる前記変換回路の特性をＨ（）、
１つの選択期間において同時に隣接する複数の走査線を選択し、同時に選択される走査線の組を異ならしめて、１フレーム内において同じ走査線を２回以上選択する第１の走査方式に用いる前記変換回路の特性をＨ’（）、
前記第２の走査方式の場合と比較した、前記第１の走査方式の場合の垂直空間解像度の劣化特性をＪ（）としたときに、
Ｈ（）  ＝  Ｈ’（）・Ｊ（）、又はＨ（）  ≒  Ｈ’（）・Ｊ（）
となるように前記変換回路の特性Ｈ’（）を定める画像表示装置。
【請求項７】
前記表示手段は、前記走査配線と前記変調配線との交点に表示素子として電子放出素子、ＥＬ素子、プラズマ素子から選択された一種が配されている請求項１乃至９のいずれかに記載の画像表示装置。
【請求項８】
走査線と、変調線と、前記走査線及び変調線を介して駆動される表示素子とを有する画像表示手段と、
前記走査線に走査信号を供給する走査回路と、
前記変調線に変調信号を供給する変調回路と、
入力画像信号の走査線数を変換する変換回路と、
を備えた画像表示装置において、
１つの選択期間において１つの走査線を選択し、１フレーム内において同じ走査線を１回だけ選択する第２の走査方式に用いる前記変換回路の特性をＨ（）、
１つの選択期間において同時に隣接する複数の走査線を選択し、同時に選択される走査線の組を異ならしめて、１フレーム内において同じ走査線を２回以上選択する第１の走査方式に用いる前記変換回路の特性をＨ’（）、
前記第２の走査方式と比較した、前記第１の走査方式の場合の垂直空間解像度の劣化特性をＪ（）としたときに、
Ｈ（）＝Ｈ’（）・Ｊ（）
となるように前記変換回路の特性Ｈ’（）を定める前記変換回路の特性決定方法。
【請求項９】
走査線と、変調線と、前記走査線及び変調線を介して駆動される表示素子とを有する画像表示手段と、
前記走査線に走査信号を供給する走査回路と、
前記変調線に変調信号を供給する変調回路と、
入力画像信号の走査線数を変換する変換回路と、
を備えた画像表示装置において、
１つの選択期間において１つの走査線を選択し、１フレーム内において同じ走査線を１回だけ選択する第２の走査方式に用いる前記変換回路の特性をＨ（）、
１つの選択期間において同時に隣接する複数の走査線を選択し、同時に選択される走査線の組を異ならしめて、１フレーム内において同じ走査線を２回以上選択する第１の走査方式に用いる前記変換回路の特性をＨ’（）、
前記第２の走査方式と比較した、前記第１の走査方式の場合の垂直空間解像度の劣化特性をＪ（）としたときに、
Ｈ（）≒Ｈ’（）・Ｊ（）
となるように前記変換回路の特性Ｈ’（）を定める前記変換回路の特性決定方法。
【発明の詳細な説明】
【０００１】
【発明の属する技術分野】
本発明は、ＥＬ表示装置、プラズマ表示装置、電子放出型蛍光表示装置等の平面上に画像を表示する画像表示装置に関するものである
【０００２】
【従来の技術】
図１５に従来の表示装置の構成を示す。
【０００３】
１は表面伝導型電子放出素子を用いた表示パネルである。行方向の走査配線Ｄｘ１〜Ｄｘｍと列方向の変調配線Ｄｙ１〜Ｄｙｎがマトリックス状に配置され、各交点上には不図示の電子放出素子が配置されており、ｍ行ｎ列の電子放出素子を備える。この素子に電流を流すと電子が放出されるが、図１６に示したような非線形特性を有する。例えば素子に１６Ｖの電圧を印加すると電子が放出されるが、８Ｖを印加した場合には電子はほとんど放出されない。また、放出された電子は不図示の加速手段によって加速され、不図示の蛍光体面に衝突して発光する。すなわち１６Ｖの電圧を印加した素子は発光するが、その半分の８Ｖの電圧を印加しても素子は発光しない。よって図１７に示すような単純マトリックス駆動が可能である。
【０００４】
２は走査駆動部である。走査駆動部２はさらに切り替えスイッチ２２、選択電位発生部２３、非選択電位発生部２４から構成される。
３は変調駆動部である。変調駆動部３はさらにシフトレジスタ３１、ラッチ３２、パルス幅変調回路３３、駆動アンプ３４から構成される。４は同期分離部である。５はＡＤコンバータである。６は駆動制御信号を生成する駆動制御回路である。７は解像度変換部である。１０は入力信号判別部である。１１は入力制御部である。１２は解像度変換制御部である。
【０００５】
Ｓ１は装置に入力されたアナログ映像信号である。Ｓ２はアナログ映像信号Ｓ１より分離された同期信号である。Ｓ３はＳ１をＡＤコンバータ５でサンプリングしたデジタル映像信号である。Ｓ４はデジタル映像信号に画像処理を施した表示信号である。Ｓ５はＡＤコンバータ５に供給される変換タイミング信号である。Ｓ６は解像度変換部７の動作を規定する変換パラメータである。Ｓ７はシフトレジスタ３１の動作を制御する映像クロック信号である。Ｓ８は変調駆動部３の動作を制御する変調制御信号である。Ｓ９はパルス幅変調回路の動作基準となるＰＷＭクロックである。Ｓ１０は走査駆動部の動作を制御する走査制御信号である。Ｓ１１は入力判別部で判定された映像種別信号である。
【０００６】
装置に入力されたアナログ映像信号Ｓ１から同期分離部４によって抽出された同期信号Ｓ２は駆動制御回路６および入力判別部１０に入力される。
【０００７】
入力判別部１０は同期信号のタイミングを計測し、入力されている映像信号の種別を判別し、映像種別信号Ｓ１１を出力する。
【０００８】
駆動制御回路６は同期信号Ｓ２および映像種別信号Ｓ１１を元に各種駆動制御信号Ｓ７〜Ｓ１０を生成する。
【０００９】
入力制御部１１は同期信号Ｓ２および映像種別信号Ｓ１１に従ってＡＤコンバータ５を動作させる変換タイミング信号Ｓ５を出力する。
【００１０】
ＡＤコンバータ５は変換タイミング信号Ｓ５に従ってアナログ映像信号Ｓ１を入力し、サンプリングしてデジタル映像信号Ｓ３を出力する。
【００１１】
解像度変換制御部１２は映像種別信号に従って、解像度変換に必要な各種パラメータを決定し、変換パラメータＳ６を出力する。
【００１２】
解像度変換部７はデジタル映像信号Ｓ３を入力し、変換パラメータＳ６に従って解像度変換を行い、表示信号Ｓ４を出力する。
【００１３】
走査駆動部２および変調駆動部３が表示パネル１を駆動する動作を説明する。このときのタイミングを図１８に示す。
【００１４】
変調駆動部３は映像クロック信号Ｓ７に同期して表示信号Ｓ４をシフトレジスタ３１に順次入力し、変調制御信号Ｓ８のＬＯＡＤ信号に従いラッチ１４に表示データを保持する。そして変調制御信号Ｓ８のＳＴＡＲＴ信号によりＰＷＭクロックＳ９を基準にして、ラッチ３２に保持されたデータに従った長さのパルス信号をパルス幅変調回路３３で生成し、駆動アンプ３４にて電圧をＶｍに増幅して表示パネル１の変調配線を駆動する。
【００１５】
以上の動作により入力された映像信号Ｓ１の内容が表示パネル１に表示される。
【００１６】
【発明が解決しようとする課題】
画像表示装置、特に民生用機器においては一般的には明るい画面が好まれる傾向にある。しかしながら民生用機器では同時にコストに対する要求も常に厳しく、コストダウンは常に求められる課題である。一方で画像表示装置の性能の指標として表示画像の画質、特に鮮鋭度は重要な要素である。
本発明は以上の事柄を鑑み、明るく高画質な画像表示装置を安価に提供することを目的とするものである。
【００１７】
【課題を解決するための手段】
上記目的を達成するために、本発明は、走査線と、変調線と、前記走査線及び変調線を介して駆動される表示素子とを有する画像表示手段と、前記走査線に走査信号を供給する走査回路と、前記変調線に変調信号を供給する変調回路と、入力画像信号の走査線数を変換する変換回路と、１つの選択期間において同時に隣接する複数の走査線を選択し、同時に選択される走査線の組を異ならしめて、１フレーム内において同じ走査線を２回以上選択する第１の走査方式と、１つの選択期間において１つの走査線を選択し、１フレーム内において同じ走査線を１回だけ選択する第２の走査方式と、の何れかの走査方式を選択する選択手段と、前記変換回路の垂直スケーリングフィルタ特性を、選択された走査方式に応じて、変更する変更手段と、を備え、前記第１の走査方式の場合における前記垂直スケーリングフィルタ特性は、前記第２の走査方式の場合における前記垂直スケーリングフィルタ特性に比べて高周波成分の除去作用が弱くなるような特性である画像表示装置として構成される。
【００１８】
このようにすれば、入力画像信号の走査線を変換する変換回路の垂直スケーリングフィルタ特性を、第１の走査方式か第２の走査方式かに応じて変更し、第１の走査方式の場合における垂直スケーリングフィルタ特性が、第２の走査方式の場合における垂直スケーリングフィルタ特性に比べて高周波成分の除去作用が弱くなるような特性に設定されるので、第１の走査方式においても第２の走査方式と同様の垂直空間周波数応答特性を提供することができ、明るく高画質な画像表示装置を安価に提供することができる。
【００１９】
また、本発明は、走査線と、変調線と、前記走査線及び変調線を介して駆動される表示素子とを有する画像表示手段と、前記走査線に走査信号を供給する走査回路と、前記変調線に変調信号を供給する変調回路と、１つの選択期間において同時に隣接する複数の走査線を選択し、同時に選択される走査線の組を異ならしめて、１フレーム内において同じ走査線を２回以上選択する第１の走査方式と、１つの選択期間において１つの走査線を選択し、１フレーム内において同じ走査線を１回だけ選択する第２の走査方式と、の何れかの走査方式を選択する選択手段と、前記画像表示手段に表示する画像データに、高周波成分を除去するフィルタ処理を施して、前記変調回路に供給するフィルタ回路と、前記フィルタ回路の高周波成分の除去作用を、選択された走査方式に応じて、変更する変更手段を備え、前記第１の走査方式の場合における前記フィルタ回路の特性は、前記第２の走査方式における前記フィルタ回路の特性に比べて高周波成分の除去作用が弱くなるような特性である画像表示装置として構成することができる。
【００２０】
このようにすれば、画像にフィルタ処理を施すフィルタ回路の特性を、第１の走査方式か第２の走査方式かに応じて変更し、第１の走査方式の場合における特性が、第２の走査方式の場合における特性に比べて高周波成分除去作用が軽くなるような特性に設定されるので、第１の走査方式においても第２の走査方式と同様の垂直空間周波数応答特性を提供することができ、明るく高画質な画像表示装置を安価に提供することができる。
【００２１】
【発明の実施の形態】
（第１の実施例）
図１に本発明の第１の実施例における画像表示装置の構成を示す。
【００２２】
Ｓ１２は不図示のユーザーインターフェース手段等から入力された、通常走査／重複走査を切り替える、切り替え信号である。７は画像の拡大ないし縮小を行う解像度変換部、１２は解像度変換制御部である。
【００２３】
選択手段としての駆動制御回路部６は切り替え信号Ｓ１２に従い、通常走査／重複走査に応じた走査制御信号Ｓ１０を出力する。変更手段としての解像度変換制御部１２は切り替え信号Ｓ１２に応じて通常走査／重複走査の各モードに適した変換パラメータＳ６を出力する。具体的にどのようにパラメータを決定するかは後述する。その他の構成および動作は、図１５に示す従来の表示装置と同様である。同様の構成については同様の符号を用いて説明を省略する。なお、表示パネル１に使用する表示素子としては、表面伝導型放出素子、ＦＥ（Ｆｉｅｌｄ  Ｅｍｉｓｓｉｏｎ）型放出素子、ＭＩＭ（Ｍｅｔａｌ−Ｉｎｓｕｌａｔｏｒ−Ｍｅｔａｌ）型放出素子を用いた蛍光表示素子等が挙げられるが、これに限られず、ＥＬ素子やプラズマ素子であってもよい。
【００２４】
表示パネル１の駆動方法の応用として、２ライン以上の走査配線Ｄｘ１〜Ｄｘｍを同時に選択し、走査選択電位Ｖ１を与えてアクティブにすることによって２ライン以上の画素が同じ表示信号に基づいて同時に発光する。こうして表示パネル１に表示される画像の輝度を大きくすることが可能である。このときのタイミングを図２に示す。
【００２５】
各走査配線Ｄｘｍを、連続した２水平走査期間でアクティブになるように駆動を行い、各水平走査期間では同時に２ラインの走査配線が選択されるように駆動を行う。このようにすることによって表示パネル（表示手段）１に表示される映像の輝度をほぼ２倍にすることが可能となる。第１の操作方式に相当するこの駆動方法を、以下「重複走査モード（重複走査方式）」と表記する。これに対して、第２の走査方式に相当し、１水平走査期間でいずれか１ラインの走査配線のみをアクティブにする駆動方式を「通常走査モード（通常走査方式）」と表記する。本実施例では、これらのモード（方式）を選択的に行うことができる。
【００２６】
このように重複走査モードは、走査配線の選択タイミングを変更するだけで実現が可能であり、ローコストにて画像表示装置の表示輝度を大幅に向上させることが可能である。
【００２７】
重複走査モードでは表示画像の垂直解像度が低下するが、重複走査モードが具体的にどのような表示特性をもつのか明らかにされていなかった。
【００２８】
そこで、発明者は重複走査モードにおける表示特性を検討し、その特性を明らかにした。以下、その検討内容を説明する。
【００２９】
通常の走査方法にて表示パネル１を駆動する場合の概念図を図３に示す。１〜６は各走査線につけた番号であり、ａ〜ｆは各走査線に対応した、１ライン分の映像信号である。
【００３０】
ここで図３のような映像信号を、重複走査モードで駆動して表示を行うと図４のように表示される。これをみると元の走査線の構成要素が一つ下の走査線にも出現することがわかる。それぞれの要素が１区切りずつ遅れた区間にも出現するということはつまり、垂直方向に対してインパルス応答（１，１）のフィルタが演算されているのと同等であると考えられる。よって重複走査モードにおける垂直空間周波数応答特性は、例えば垂直走査線数が７２０本の表示パネルの場合で図５のような特性になると考えられる。
【００３１】
次に表示パネルの垂直解像度の実測を行った。パネルの垂直空間周波数応答特性測定系の概念図を図６に示す。４１は信号発生器である。４２は被測定パネルである。４３はビデオカメラである。４４はスペクトルアナライザである。４５は観測モニタである。
【００３２】
信号発生器４１からは垂直方向の周期波形（横縞）を発生させ、それを被測定パネル４２に表示する。それをビデオカメラ４３にて撮影するのであるが、そのときビデオカメラ４３の向きを９０°横に傾けておく。そうするとビデオカメラ４３では横方向の周期波形（縦縞）が撮影され、撮影された映像信号は例えば図７のような波形になる。この信号をスペクトルアナライザ４４にて観測すると、信号発生器４１で発生させた周期信号に対応したスペクトルが観測される。このスペクトルのピークレベルを、信号発生器４１で発生した空間周波数に対応するレスポンスとし、信号発生器４１での発生周波数をスイープさせてプロットすることにより、被測定パネル４２の垂直空間周波数応答特性が測定できる。
【００３３】
このようにして測定された垂直空間周波数応答特性と図５に示した計算値を重ねあわせると図８のようになり、非常によく一致した。
この結果から、重複走査モードにおける垂直空間周波数応答特性はインパルス応答（１，１）の垂直フィルタ相当の特性をもつということが結論付けられた。
【００３４】
以上述べたように、通常走査モードと比較して重複走査モードではインパルス応答（１，１）の垂直フィルタ相当の視覚効果があり、垂直空間解像度が劣化する。
【００３５】
一方、固定画素構造をもつ表示装置では、様々な規格の映像信号に適応するために解像度変換を行うことがある。解像度変換においては変換時のジャギーを除去するために何らかのフィルタリング効果を備えるとよい。
【００３６】
そこで本発明では、重複走査モード時における解像度変換部７の変換パラメータを変更してジャギーの除去効果をあらかじめ薄くしておき、重複走査によるフィルタ効果とあわせて装置全体の最適な垂直空間周波数応答特性Ｄ’（）を提供する。
【００３７】
すなわち、同じ入力信号であっても通常走査／重複走査の各モードに応じて解像度変換部７の変換パラメータを切り替え、通常走査／重複走査を切り替える画像表示装置においてモード切り替え時に垂直空間周波数応答特性が変化するという現象を抑制することが可能となる。
【００３８】
以下，その詳細を説明する。必要に応じて、「よくわかるディジタル画像処理」（ＣＱ出版社１９９７年８月２０日第３版発行）を参照されたい。
【００３９】
解像度変換は実際的な構成がどのようなものであれ、論理的には図９に示した構成に帰着するものがほとんどである。［↑ｎ］はｎ倍のアップサンプラ、［Ｈ（）］はデジタルフィルタ、［↓ｍ］は１／ｍのダウンサンプラである。この構成でｎ／ｍ倍の解像度変換となる。またＨ（）の特性によって同じデータを補間するニアリストネイバー、２つの原データに対して線形補間を行うバイリニア、３次のたたみ込み内挿法であるバイキュービック、およびその他の変換特性を得ることができる。たとえば４／３倍の解像度変換では、
【数１】
2004279730.tif 000003
となる。（フィルタの表現Ｈ（）は周知の非正規化インパルス応答数列、以下同じ）
【００４０】
重複走査モードにおいては（１，１）の垂直フィルタ相当の視覚効果があることは先に述べた。よって、重複走査モードでは図１０のような信号処理が行われているのと等価であるとみなすことができる。
【００４１】
ここで、
【数２】
2004279730.tif 000004
ただし、Ｚ（ｘ）＝０，  Ｊ（１）＝（１，１）
例えば、
【数３】
2004279730.tif 000005
とおくと、図１０はさらに図１１と等価になる。
【００４２】
これらのことから、
【数４】
2004279730.tif 000006
となるようなＨ’（）を定め、重複走査モードのときにＨ（）のかわりにＨ’（）を用いた解像度変換を行うことで、通常走査／重複走査のいずれのモードでも同様の垂直空間解像度特性Ｄ（），Ｄ’（）を得ることが可能になるとわかる。
【００４３】
また、Ｈ’（）  は具体的に以下のようにして求めることができる。
【００４４】
【数５】
2004279730.tif 000007
とすると、Ｈ（）  ＝  Ｈ’（）・Ｊ（）より
【数６】
2004279730.tif 000008
と展開できるので、これを解けばよい。
【００４５】
以下、解像度変換倍率（ｎ／ｍ）＝４／３，  Ｈ（）＝（１，２，３，４，４，４，３，２，１）  の場合についての例を示す。
ｍ＝３であるので、Ｊ（）＝（１，０，０，１）  である。
よって、
【数７】
2004279730.tif 000009
より、
【数８】
2004279730.tif 000010
を得る。
【００４６】
Ｈ（），  Ｈ’（），  Ｊ（），  Ｈ’（）・Ｊ（）  の各フィルタの空間周波数特性を図１２に示す。Ｈ（）＝Ｈ’（）・Ｊ（）である。つまり、通常走査モード時にＨ（）、重複走査モード時にＨ’（）を用いて解像度変換を行うことで、どちらのモードでも同様の垂直空間周波数特性Ｄ（），Ｄ’（）が得られ、重複走査による解像度劣化を視覚上キャンセルできるということがわかる。
【００４７】
このように、重複走査モード時における解像度変換部７の変換パラメータを変更して高周波成分の除去作用をあらかじめ弱くしておき、重複走査によるフィルタ効果とあわせて装置全体の最適な垂直空間周波数応答特性を設定することが可能となる。
【００４８】
すなわち、同じ入力信号であっても通常走査／重複走査の各モードに応じて解像度変換部の変換パラメータを切り替え、通常走査／重複走査を切り替える画像表示装置においてモード切り替え時に垂直空間周波数応答特性Ｄ（），Ｄ’（）が変化して、両者が相違してしまうという現象を抑制し、Ｄ（）  ＝  Ｄ’（）とすることができる。
【００４９】
（第２の実施例）
第１の実施例において、元になるＨ（）によってはＨ’（）を計算したときに有限の数列に収束しない場合がある。そのような場合であってもＨ’（）の算出方法に修正を施すことによって本発明を適用することが可能となる。
【００５０】
また、バイキュービック法のように重み関数の形で表現されている解像度変換法であっても、関数をインパルス応答数列に展開することによって本発明を適用することが可能となる。
【００５１】
以下、バイキュービック法による解像度変換を例にして説明する。
【００５２】
バイキュービック法における重み関数Ｗ（ｄ）  は、［ｄ：入力サンプル点と出力サンプル点の距離］
【数９】
2004279730.tif 000011
と表される。（Ｘ＾２は、Ｘの２乗の意。以下同じ）
これを、入力サンプル点を原点とする出力サンプル点の座標（ｘ）で表現すると、
【数１０】
2004279730.tif 000012
となる。ｎ／ｍ倍の解像度変換であれば、このＷ（ｘ）を１／ｎ周期でサンプリングしてフィルタのインパルス応答数列Ｈ（）を得る。例えば３／２倍であれば、
【数１１】
2004279730.tif 000013
となる。（小数点第３位にて四捨五入）
この数列から第１の実施例で述べた方法によってＨ’（）を計算すると、
【数１２】
2004279730.tif 000014
となり、収束しない。このような場合には、数列の要素数を表す関数Ｎ（）を用いて、Ｈ’（）の要素を  Ｎ（Ｈ）−ｍ  個で打ち切ると良い。今の例の場合は、具体的には、Ｈ’（）の要素数を  １１−２  ＝  ９個  で打ち切り、
【数１３】
2004279730.tif 000015
と近似する。
【００５３】
このようにすることによって、Ｈ’’（）は有限に定まるが、非対称の数列になる場合がある。また、Ｈ（）とＨ’’（）・Ｊ（ｍ）との一致も悪くなる場合がある。そこでさらにＨ’’（）を、
【数１４】
2004279730.tif 000016
例えば、
【数１５】
2004279730.tif 000017
と修正する。今の例の場合だと
【数１６】
2004279730.tif 000018
であるから
【数１７】
2004279730.tif 000019
とすればよい。
Ｈ’（）が収束している場合はＨ’（）＝Ｈ’’’（）であり、Ｈ’（）が収束しない場合でも  Ｈ（）  と  Ｈ’’’（）・Ｊ（ｍ）  は比較的良く一致するので、実用上は  Ｈ’’’（）  を用いるのが好適である。
【００５４】
その他、画像表示装置の構成等は第１の実施例と同様であるので、詳細は省略する。
【００５５】
図１３に、今求めたバイキュービック法による３／２倍の場合における  Ｈ（）  と  Ｈ’’’（）・Ｊ（２）  の空間周波数特性を示す。Ｈ（）≒Ｈ’’’（）・Ｊ（２）  であり、通常走査におけるバイキュービック法とほぼ同等の垂直空間周波数特性を重複走査モードにおいても得ることが可能であるとわかる。このようにして、重複走査方式における画像表示装置の垂直空間周波数特性Ｄ’（）と、通常走査方式における垂直空間周波数特性Ｄ（）とをＤ（）  ＝  Ｄ’（）とすることができる。
【００５６】
また、通常走査モード時にＨ（）を使用せず、Ｈ’’’（）・Ｊ（）を用いることも可能である。この場合、変換特性はバイキュービックの近似となるが、通常走査／重複走査切り替えに伴う特性の変化は無くなる。
【００５７】
また、バイリニア法など他の方式についても同様の方法にて本発明を実施することが可能である。
【００５８】
また、解像度変換部７の実際的な構成としては、図９のようにフィルタ理論に忠実な回路（方法）を構成しても良いし、ここで求めたＨ’’’（）を基にした重み関数や重みテーブルを用いた回路（方法）を構成しても当然本発明を実施可能である。
【００５９】
（第３の実施例）
走査モードの切り替えに対して解像度変換部における解像度変換パラメータを固定して、別に設置した垂直フィルタの特性を通常走査／重複走査に応じて切り替える構成も実施可能である。
【００６０】
第３の実施例における画像表示装置の構成を図１４に示す。１３は特性を変更可能な垂直フィルタである。通常走査／重複走査の切り替え信号Ｓ１２に応じて垂直フィルタ特性を切り替える。解像度変換制御部１２は映像種別信号Ｓ１１のみに応じて変化パラメータを決定する。その他の構成、動作については第１の実施例と同様である。
【００６１】
解像度変換制御部１２は走査モードにかかわらず、常に第２の実施例で示したＨ’’’（）を変換パラメータとして出力する。垂直フィルタ１３は切り替え信号Ｓ１２に応じて、通常走査時には（１，１）の高周波成分を除去する垂直フィルタを施し、重複走査時には何もフィルタをかけない。こうすることによって表示信号Ｓ４には、通常走査時にＨ’’’（）・Ｊ（）、重複走査時にＨ’’’（）で解像度変換を行った時と同等の信号が出力されることになる。
【００６２】
すなわち、この構成でも第１、第２の実施例と同様に通常走査／重複走査にかかわらず最適な空間周波数特性Ｄ（），Ｄ’（）を得ることが可能となる。
【００６３】
（第４の実施例）
以上通常走査モードと重複走査モードを切り替える画像表示装置に本発明を適用する例を述べてきたが、重複走査モードしか提供しない画像表示装置においても本発明による解像度変換パラメータを用いることにより、通常走査モードの画像表示装置と同様の最適な垂直空間周波数応答特性を提供することが可能となる。
【００６４】
装置の構成は図８に示した第１の実施例における画像表示装置を参照する。通常走査／重複走査を切り替える切り替え信号Ｓ１２が常に重複走査モードとなっている他は第１の実施例における画像表示装置とほぼ同様の構成にて重複走査モードしか提供しない画像表示装置に本発明を適用することが可能である。また、本発明に用いられる重複走査方式は、複数本の走査線上の画素が同時にアクティブになればよく、連続した２つの水平走査期間において、共通の走査線上の画素がアクティブとならない場合も含む。
【００６５】
【発明の効果】
以上説明したように本発明によれば、重複走査方式か通常走査方式かを切り替えられる画像表示装置において、重複走査方式においても通常走査方式と同様の垂直空間周波数応答特性を提供することができるので、明るく高画質な画像表示装置を安価に提供することができる。
【００６６】
また、重複走査方式のみで走査を行う画像表示装置においても、通常走査方式の画像表示装置と同様の最適な垂直空間周波数応答特性を提供することができるので、明るく高画質な画像表示装置を安価に提供することができる。
【図面の簡単な説明】
【図１】本発明を適用した表示装置の構成図である。
【図２】本発明における重複走査のタイミング図である。
【図３】従来の駆動法の概念図である。
【図４】重複走査モードの概念図である。
【図５】重複走査モードの垂直空間周波数応答特性の計算値を示すグラフである。
【図６】垂直空間周波数応答特性の測定系を示す図である。
【図７】図６の測定系で計測される信号波形の例である。
【図８】重複走査モードの垂直空間周波数応答特性の計算値と実測値を重ね合わせて示したグラフである。
【図９】解像度変換部の構成を示すブロック線図である。
【図１０】重複走査モードにおける等価的な構成を示すブロック線図である。
【図１１】重複走査モードにおける等価的な構成２を示すブロック線図である。
【図１２】第１の実施例における空間周波数特性を示すグラフである。
【図１３】第２の実施例における空間周波数特性を示すグラフである。
【図１４】第３の実施例における画像表示装置の構成図である。
【図１５】従来の表示装置の構成図である。
【図１６】電子放出素子の特性を示すグラフである。
【図１７】単純マトリクス駆動の概念図である。
【図１８】従来のタイミング図である。
【符号の説明】
１    表示パネル
２    走査駆動部
３    変調駆動部
４    同期分離部
５    ＡＤコンバータ
６    駆動制御回路
７    解像度変換部
１０  入力判別部
１１  入力制御部
１２  解像度変換部
１３  垂直フィルタ
２２  切り替えスイッチ
２３  選択電位発生部
２４  非選択電位発生部
３１  シフトレジスタ
３２  ラッチ
３３  変調回路
３４  駆動回路
４１  信号発生器
４２  被測定パネル
４３  ビデオカメラ
【図１】
2004279730.tif 000020
【図２】
2004279730.tif 000021
【図３】
2004279730.tif 000022
【図４】
2004279730.tif 000023
【図５】
2004279730.tif 000024
【図６】
2004279730.tif 000025
【図７】
2004279730.tif 000026
【図８】
2004279730.tif 000027
【図９】
2004279730.tif 000028
【図１０】
2004279730.tif 000029
【図１１】
2004279730.tif 000030
【図１２】
2004279730.tif 000031
【図１３】
2004279730.tif 000032
【図１４】
2004279730.tif 000033
【図１５】
2004279730.tif 000034
【図１６】
2004279730.tif 000035
【図１７】
2004279730.tif 000036
【図１８】
2004279730.tif 000037